(57)【特許請求の範囲】
【請求項１】
宅内の複数箇所に配置された少なくとも２個のアナログ接続口と１個のデジタル接続口とを備えた通信コンセントと、公衆通信回線の引込口に配置された情報分電盤と、複数の通信コンセントのアナログ接続口の１個と公衆通信回線とを接続する外線用先行配線ケーブルと、複数の通信コンセントの他のアナログ接続口相互を接続するアナログ内線用先行配線ケーブルと、複数の通信コンセントのデジタル接続口相互と情報分電盤とを接続するデジタル用先行配線ケーブルとを備え、情報分電盤は、デジタル用先行配線ケーブルの基端相互の接続手段を備えている、宅内通信配線。
【請求項２】
情報分電盤がハブを備えている、請求項１記載の宅内通信配線。
【発明の詳細な説明】
【０００１】
【発明の属する技術分野】
この発明は、複数の通信コンセント、すなわち電話機、ＩＳＤＮ端末、パソコンなどを接続するコンセントを備えた情報化住宅の情報通信用宅内配線に関するものである。
【０００２】
【従来の技術】
情報化の急速な進展により、一般家庭においても複数種の情報端末が複数台使用されるという状況が一般化しつつある。例えば、住宅内に１本の公衆ＩＳＤＮ回線に接続された複数台の電話機、ファクシミリ端末、ＬＡＮ経由でインターネットに接続されているパソコンなどが設置されるようになってきており、これらの機器は生活様式の変化や子供の成長などに応じて、設置場所が移動したり増設されたりする。
【０００３】
これらの情報端末は、アナログ電話ケーブル、ＩＳＤＮケーブル、ＬＡＮケーブルなどの通信ケーブルでターミナルアダプタやルータと呼ばれる信号分配器（以下「ルータ」と総称する）に接続され、保安器を経て公衆ＩＳＤＮ回線に接続される。ルータは複数のアナログポート（ＡＰポート）とＩＳＤＮ用デジタルポート（ＳＴポート）とＬＡＮ用デジタルポート（ＨＵＢポート）とを備えており、ＡＰポートにはアナログ電話機、Ｇ３ファクシミリ、モデム経由のパソコンなどがスター接続またはバス接続され、ＳＴポートにはＧ４ファクシミリ、ＩＳＤＮ電話機などがバス接続され、ＨＵＢポートにはＬＡＮ接続されるパソコンが直接またはハブを介してスター接続される。
【０００４】
このようなことから、家庭内に複数の情報端末を設置するときは、ルータ（通常ＤＳＵを内蔵している）を１個設置して、当該ルータから各情報端末にアナログ電話ケーブル、ＩＳＤＮケーブルまたはＬＡＮケーブルを付設することになる。従って住宅内に複数の情報の端末を設置するときは、それらの機器に接続するためのケーブルが多数敷設されることになって大変に見苦しい。また、情報端末を移動したり、増設したりするときは、通信ケーブルの移動や増設も必要になり、大変に面倒である。
【０００５】
この問題を解決するために、住宅内の各部屋に情報端末を接続するための通信コンセントを適宜配置し、この通信コンセントとルータを内蔵した情報分電盤とを所定の通信ケーブルで先行配線し、ある部屋で電話機やパソコンなどの情報端末を使用するときは、当該端末を通信コンセントの対応する接続口（モジュラージャック）に接続して使用できるようにした情報化住宅が提案されている。
【０００６】
図９は、情報化住宅における従来の通信配線の例を示したもので、住宅内の一箇所に情報分電盤１が配置され、情報端末の設置が予想される各部屋に通信コンセント２が設置されている。情報分電盤１内には、ＤＳＵ内蔵のルータ３が設置され、保安器１１を介して公衆ＩＳＤＮ回線１０に接続されている。ルータ３は、複数のＡＰポート３１とＳＴポート３２とＨＵＢポート３３とを備えている。一方、各通信コンセントは、アナログ端末接続用のモジュラージャック（ＡＮＬＭＪ）２１とＩＳＤＮ端末接続用のモジュラージャック（ＩＳＤＮＭＪ）２２とＬＡＮ端末接続用のモジュラージャック（ＬＡＮＭＪ）２３とを備えており、建物の壁内や床下を通る先行配線５１、５２、５３により、ＡＮＬＭＪ２１はルータのＡＰポート３１にスター又はバス接続され、ＩＳＤＮＭＪ２２はルータのＳＴポート３２にバス接続され、ＬＡＮＭＪ２３はルータのＨＵＢポート３３に直接またはハブ１２を介してスター接続されている。
【０００７】
住宅内にこのような情報通信配線が先行配線として設けられていれば、建物内の各部屋に情報端末を設置したり移動したりするときは、その端末の信号線を近くにある通信コンセントの対応するモジュラージャックに接続するだけで、公衆ＩＳＤＮ回線や他の情報端末に接続されることとなる。
【０００８】
【発明が解決しようとする課題】
ルータは信号の分配を行なう装置であるから、これを各通信端末への通信ケーブルの分配点となる情報分電盤側に設けることは、合理的であると考えられる。しかし、ルータには動作状態を示すＬＥＤが設けられており、また近時のルータはディスプレイを設けて回線の混雑状態などが表示されるようになっている。そのため、情報端末を使用しているときに、通信が円滑に行なわれない場合など、ルータの表示を確認する必要がある場合が多く生ずる。情報分電盤は通常公衆電話回線の引込み点近くのあまり目立たない所に設置されるため、このような場合にルータの表示を確認することは、相当に面倒である。
【０００９】
また、情報化住宅が賃貸住宅や集合住宅であるときは、各住戸ごとに情報分電盤が、従ってルータが設置されることになるが、ルータには例えばインターネットプロバイダの接続先の電話番号やＩＰアドレスなど、接続される情報端末やそれを使用する人に固有の設定を行なう必要がある。従って、転居等が比較的頻繁に行われる集合住宅や賃貸住宅で、図９に示すような従来構造の宅内配線を採用すると、居住する人が変わる毎にルータの設定変更が必要となって、大変煩わしいだけでなく、セキュリティ上の問題も生じかねない。
【００１０】
ルータはいろいろなメーカから機能や設定方法の異なるものが提供されており、パソコンショップなどで一般に販売され、経験のないものでも一般的な設定ができるような工夫もなされている。そのため、端末使用者がそれぞれ自分の好みに合ったルータを使用したいという要求が生ずるが、分電盤側に設けたルータを自分の好みのものに変更することは、通常困難である。
【００１１】
更に、ルータに回線や接続の状態などを示す種々の表示がなされる関係上、使用者が情報端末を移動したり、ＬＡＮの構成を変更したような場合に、ルータの機種や設置場所を変更したいという要求も生じ得る。
【００１２】
この発明は、上述のような要求を可能にする情報化住宅の宅内配線システムを提供することを課題としており、各種の情報端末を複数の箇所で使用可能にする情報通信用の宅内配線を先行配線として設けた情報化住宅において、情報の分配や公衆電話回線との接続を制御するルータの変更や設置場所の移動を可能とする技術手段を提供することを課題としている。
【００１３】
【課題を解決するための手段】
この出願の発明では、宅内に複数個配置される通信コンセントに公衆通信回線（外線）に接続する外線接続口を設け、この外線接続口と情報分電盤１に引込んだ公衆通信回線とを宅内の先行配線によってスター接続又はバス接続することにより、上記課題を解決している。
【００１４】
各通信コンセントには、上記外線接続口のほか、少なくとも各１個のアナログ用とデジタル用の内線接続口が設けられる。ここで外線とはルータより外側（公衆通信回線側）の信号線であり、内線とはルータより内側（端末側）の信号線である。デジタル用の内線はＩＳＤＮ用とＬＡＮ用とがあるので、実用的には各コンセントに１個の外線接続口、少なくとも１個のアナログ内線接続口、ＩＳＤＮ接続口及びＬＡＮ接続口が設けられることになる。
【００１５】
複数の通信コンセントのアナログ内線接続口（ＡＮＬＭＪ）相互は、宅内配線によってスター接続又はバス接続される。
【００１６】
通信コンセントのＩＳＤＮ接続口相互は、バス接続され、行き側と戻り側との間に終端抵抗が接続される。実用的には、各通信コンセントのＩＳＤＮ接続口に接続されたＩＳＤＮケーブルを情報分電盤に集めて、情報分電盤にＩＳＤＮケーブルの基端（情報分電盤側の端部）相互の接続手段を設ける。この接続手段としては、ジャックとプラグによって接続する手段、切換スイッチを介して接続する手段、接続用のパッチコードを設ける手段などが採用可能である。
【００１７】
通信コンセントのＬＡＮ接続口に接続したＬＡＮケーブルは、情報分電盤に集められ、ハブ１２を介して全体をスター接続するか、またはルータを接続した通信コンセントのＬＡＮケーブルと他の１個のＬＡＮケーブルの基端相互を接続する接続手段を設ける。この接続手段は、ＩＳＤＮケーブルの場合と同様に、プラグとジャックの差し替え、切換スイッチ、パッチコードなどで実現できる。
【００１８】
すべての通信コンセントのＬＡＮケーブルをハブでスター接続したときは、すべての通信コンセントにＬＡＮ端末を接続することが可能になり、選択された１個のＬＡＮケーブルの基端を接続する構造を採用したときは、ルータは通常複数のＨＵＢポートを備えているので、ルータを設置した箇所と上記選択された１個のＬＡＮケーブルが接続されている通信コンセントの設置箇所とでＬＡＮ端末の使用が可能である。
【００１９】
上記の宅内配線を実現するために使用されるこの発明の通信コンセントは、少なくとも２個のアナログ接続口と少なくとも１個、好ましくは２個のデジタル接続口とを備えている。アナログ接続口はＲＪ−１１ＭＪを用いるのが一般的であり、デジタル接続口はＲＪ−４５ＭＪを用いるのが一般的である。
【００２０】
アナログ接続口の１個には、外線接続口であることの表示、例えば外線、ＩＮ、ＮＴＴ、ＤＳＵなどの表示が付され、他のアナログ接続口には内線接続口であることの表示、例えばＡＮＬ、ＡＰ、ＯＵＴ、内線などの表示がされる。デジタル接続口には、ＩＳＤＮ接続口であるかＬＡＮ接続口であるかの表示が付される。
【００２１】
上記宅内配線を実現するためのこの発明の情報分電盤は、スター接続又はバス接続された複数のアナログケーブル接続端子からなる外線接続ユニットと、スター接続又はバス接続された複数のアナログケーブル接続端子からなるアナログ内線接続ユニットと、行き側と戻り側とを対にして行き側を他の対の戻り側に接続しかつ戻り側を上記の他の対とは異なる他の対の行き側に接続した複数対のデジタルケーブル接続端子からなるＩＳＤＮ接続ユニットと、ハブまたは任意の２本の接続端相互を接続する手段を備えた複数のデジタルケーブル接続端子からなるＬＡＮユニットとを備えている。
【００２２】
この出願の宅内配線を設けた情報化住宅においては、使用しようとするルータを外線接続口を備えた通信コンセントのいずれかの箇所に設置して、ＤＳＵを当該通信コンセントの外線接続口に繋ぎ、ＡＰポートをアナログ接続口に繋ぎ、ＳＴポートをＩＳＤＮ接続口に繋ぎ、ＨＵＢポートをＬＡＮ接続口に繋ぐ。
【００２３】
情報分電盤がハブを備えたものであれば、ルータを接続した通信コンセントのＬＡＮケーブルが接続されているハブのポートをリバースに切換え、他をカスケードにする。ハブを備えていない情報分電盤であれば、ルータの設置場所以外の一箇所のみでＬＡＮ端末が使用できるので、当該箇所の通信コンセントに接続されたＬＡＮケーブルの基端とルータを接続した通信コンセントのＬＡＮケーブルの基端とを接続する。
【００２４】
ルータを移動するときは、移動先の通信コンセントにルータを接続して、分電盤側で上記の切換を行なえばよく、またルータを交換するときは、新しいルータをその設置箇所の通信コンセントに上記の要領で接続してやればよい。
【００２５】
なお、ルータの設置箇所でＩＳＤＮ端末を使用するときは、ルータのＳＴポートを当該端末を通して通信コンセントのＩＳＤＮ接続口に接続する。またルータの設置箇所でアナログ端末やＬＡＮ端末を使用するときは、ルータの余っているＡＰポートやＨＵＢポートに直接接続する。
【００２６】
【発明の実施の形態】
図１及び図２は、この出願の発明の第１実施例を示す図である。図中１０は、公衆通信回線、１１は保安器、１は情報分電盤、２及び２ａは通信コンセント、３はルータ、２６はアナログ端末、２７はＩＳＤＮ端末、２８はＬＡＮ端末である。図は通信コンセントが３個のものを示しており、各通信コンセントには外線接続口２０、アナログ内線接続口２１、ＩＳＤＮ接続口２２及びＬＡＮ接続口２３が設けられている。
【００２７】
外線接続口２０及びアナログ内線接続口２１はＲＪ−１１ＭＪであり、ＩＳＤＮ接続口２２及びＬＡＮ接続口２３はＲＪ−４５ＭＪである。各接続口は、外線ケーブル５０、アナログ内線ケーブル５１、行きと戻りのＩＳＤＮケーブル５２ｓ、５２ｒ及びＬＡＮケーブル５３で情報分電盤１に先行配線によって接続されている。
【００２８】
情報分電盤１では、各通信コンセントに接続した外線ケーブル５０相互がバス接続されて保安器１１を通して公衆通信回線１０に接続されている。アナログ内線ケーブル５１相互は、バス接続されている。ＩＳＤＮケーブル５２（５２ｓ、５２ｒ）相互は、図２に示す切換器６に接続されている。ＬＡＮケーブル５３相互は、ハブ１２にスター接続されている。
【００２９】
図２に示す切換器６はロータリ式の切換器で、円周上に配置した３対の接点６１の接続関係をスイッチ円板６２の回転によって切換える。スイッチ円板６２には、対となる接点相互を接続する２個の短絡接触子６３と、対となる接触子の戻り側のみに接触する終端接触子６４とが設けられており、終端接触子には終端抵抗１３が接続されている。３個の通信コンセントの行き側のＩＳＤＮケーブル５２ｓと戻り側のＩＳＤＮケーブル５２ｒとは、ケーブル接続の上で隣り合うコンセントとして選択したコンセントの行き側ケーブルと戻り側ケーブルとをペアにして、一対の接触子のそれぞれに接続されている。
【００３０】
今選択した任意の通信コンセント２ａのＩＳＤＮ接続口２２にルータ３のＳＴポートが接続されているとすると、図２に示す状態、すなわちルータが接続されたＩＳＤＮ接続口２２の戻り側ケーブル５２ｒと第２番目の通信コンセントの行き側ＩＳＤＮケーブル５２ｓとが短絡接触子６３で接続され、当該第２番目の通信コンセントの戻り側ＩＳＤＮケーブル５２ｒと第３番目の通信コンセントの行き側ＩＳＤＮケーブル５２ｓとが短絡接触子６３で接続され、第３番目の通信コンセントの戻り側ＩＳＤＮケーブル５２ｒが終端接触子６４を介して終端抵抗１３に接続された状態となる。
【００３１】
上記の第２番目の通信コンセントにルータを接続したときは、スイッチ円板６２を図で右回りに１２０度回動する。このようなスイッチを用いれば、ルータを接続した通信コンセントのＩＳＤＮ接続口を先頭にして、他のＩＳＤＮ接続口がバス接続され、終端に終端抵抗１３が接続されることとなる。なお、図には各ケーブル５２ｓ、５２ｒ及び接触子６３、６４を１個で示しているが、実際にはそれぞれ４芯及び４個の接触子からなる。
【００３２】
ルータ３は、通信コンセントの任意の１個２ａの位置で、そのＤＳＵを外線接続口２０に、ＡＰポート３１をアナログ接続口２１に、ＳＴポート３２をＩＳＤＮ接続口２２に、ＨＵＢポート３３をＬＡＮ接続口２３に接続して設置する。ルータの設置箇所でＩＳＤＮ端末２７を使用するときは、ルータのＳＴポート３２を当該ＩＳＤＮ端末を介して通信コンセントのＩＳＤＮ接続口２２に接続する。また、ルータの設置箇所にアナログ端末２６を設置するときは、ルータの複数個あるＡＰポートの空いているポートに接続する。ＬＡＮ端末も同様にルータの空いているＨＵＢポートに接続する。
【００３３】
このようにしてルータ３をある通信コンセント２ａの設置位置に接続したら、情報分電盤１内のＩＳＤＮ用切換器６を図２で説明したように設定し、ハブ１２のルータを接続したＬＡＮケーブルが接続されているポートをリバースに切換え、他のポートをカスケードにしておく。この状態でルータを接続していない通信コンセント２の設置箇所において、アナログ端末、ＩＳＤＮ端末及びＬＡＮ端末は、それぞれ当該通信コンセントのアナログ内線接続口２１、ＩＳＤＮ接続口２２またはＬＡＮ接続口２３に接続して使用することができる。ルータを設置していない通信コンセントの外線接続口２０にはなにも接続しない（できない）。
【００３４】
情報分電盤１にハブ１２を設けないときは、図３に示すように、各通信コンセントに接続されたＬＡＮケーブル５３の基端を情報分電盤内のジャック６６に接続し、この複数のジャックの任意の２個を接続するパッチコード６７を準備する。パッチコード６７は、ルータを接続した通信コンセントのＬＡＮケーブルと他の選択された一箇所の通信コンセントのＬＡＮケーブルとを接続する。この構成の場合、ルータを設置した箇所とパッチコード６７で接続された他の一箇所の通信コンセント設置箇所でのみＬＡＮ端末の使用が可能になる。
【００３５】
上記第１実施例は、接続される端末との関係をわかりやすくするために模式化されている。より実用的な実施形態を示す第２実施例を図４ないし図８に示す。
【００３６】
この第２実施例の情報分電盤１には、７個の通信コンセントが接続可能であり、その中から選択された任意の４個にＬＡＮ端末が接続可能であり、かつその４個の内の任意の１個にルータが接続される。図４は、この情報分電盤に４個の通信コンセント２が先行配線によって接続されている例を示している。各通信コンセント２には、第１実施例と同様に、外線接続口２０、アナログ内線接続口２１、ＩＳＤＮ接続口２２及びＬＡＮ接続口２３が設けられており、各接続口はそれぞれの宅内配線ケーブル５０、５１、５２、５３により情報分電盤１の設置位置まで配線されている。
【００３７】
外線ケーブル５０、アナログ内線ケーブル５１、ＩＳＤＮケーブルの行き側と戻り側ケーブル５２ｓ、５２ｒの基端にはそれぞれ４端子プラグが接続され、ＬＡＮケーブルの基端には、２個の４端子プラグが接続されている。
【００３８】
一方情報分電盤１には、接続ボード４と４ポートを有するハブ１２とが設けられている。接続ボード４は、７個の４端子ジャック４５と１個のＲＪ−１１ＭＪ１５とを図５に示すように接続した外線接続ユニット４０と、他の７個の４端子ジャック４６を図６に示すように接続したアナログ内線接続ユニット４１と、７個×２組の４端子ジャック４７ｓ、４７ｒと終端抵抗１３とを図７に示すように接続したＩＳＤＮ接続ユニット４２と、８個の４端子ジャック４８と４個のＲＪ−４５ＭＪ１８とを図８に示すように接続したＬＡＮ接続ユニット４３とが設けられている。そして両端にＲＪ−４５プラグを設けた４本のパッチコード１７が準備されている。
【００３９】
接続ボードのＲＪ−１１ＭＪ１５には、保安器１１を介して公衆通信回線１０が接続される。外線接続ユニットの任意の４端子ジャック４５に通信コンセントに繋がる外線ケーブル５０が接続される。アナログ内線接続ユニットの任意の４端子ジャック４６に通信コンセントに繋がるアナログ内線ケーブル５１が接続される。
【００４０】
ＩＳＤＮ接続ユニット４２には、各通信コンセント２のＩＳＤＮケーブルの行き側と戻り側とを、互いに対となる行き側と戻り側の４端子ジャック４７ｓ、４７ｒに適宜な順序で接続し、最後の一個の通信コンセントの戻り側と行き側のケーブルを終端抵抗１３が接続された４端子ジャックとこれに対をなす行き側の４端子ジャックに接続する。
【００４１】
ＬＡＮ接続ユニットのＲＪ−４５ＭＪ１８はそれぞれパッチコード１７で、ハブ１２の４つのポートに接続され、８個の４端子ジャック４８には、各通信コンセントのＬＡＮケーブルの基端に設けた２個一組の４端子プラグが対をなすように接続される。そしてハブ１２の４個のポートの内、ルータ３を接続しようとする通信コンセントに接続されることとなるポートのスイッチをリバース側にする。
【００４２】
なお、ここですべてのジャックとプラグに４端子のものを用いているのは、製造の便宜のためであり、８端子のプラグジャックやＭＪを用いても、もちろんかまわない。
【００４３】
ルータ３は、通信コンセントの選択された１個２ａに、外線接続口にＤＳＵを接続し、アナログ接続口にＡＰポートの１個を接続し、ＩＳＤＮ接続口にＳＴポートを接続し、ＬＡＮ接続口にＨＵＢポートを接続した状態で設置される。ルータを設置した箇所にアナログ端末、ＩＳＤＮ端末、ＬＡＮ端末を接続するときの接続形態は、第１実施例で説明したとおりである。他の通信コンセントにアナログ端末、ＩＳＤＮ端末及びＬＡＮ端末を接続するときの接続形態も、第１実施例で説明したと同様である。
【００４４】
上記の第２実施例の構成において、ルータの設置箇所を移動するときは、当該位置の通信コンセントにルータを前記と同様に接続し、ハブのリバーススイッチの切換を行ってやればよい。
【図面の簡単な説明】
【図１】第１実施例の全体構成を示す模式図
【図２】第１実施例のＩＳＤＮ接続切換スイッチの説明図
【図３】第１実施例でハブを用いない場合のＬＡＮケーブルの接続形態を示す説明図
【図４】第２実施例の情報分電盤と通信コンセントの接続状態を示す配線図
【図５】第２実施例の情報分電盤の外部接続ユニットの結線図
【図６】第２実施例の情報分電盤のアナログ接続ユニットの結線図
【図７】第２実施例の情報分電盤のＩＳＤＮ接続ユニットの結線図
【図８】第２実施例の情報分電盤のＬＡＮ接続ユニットの結線図
【図９】従来の宅内配線の例を示す模式図
【符号の説明】
１  情報分電盤
２  通信コンセント
10  公衆通信回線
12  ハブ
18  ＲＪ−４５ＭＪ
20  外線接続口
21  アナログ接続口
23  ＬＡＮ接続口
40  外線接続ユニット
42  ＩＳＤＮ接続ユニット
50  外線ケーブル
51  アナログ内線ケーブル
52(r,s)  ＩＳＤＮケーブル
53  ＬＡＮケーブル
【図１】
0003643010.tif 000002
【図２】
0003643010.tif 000003
【図３】
0003643010.tif 000004
【図４】
0003643010.tif 000005
【図５】
0003643010.tif 000006
【図６】
0003643010.tif 000007
【図７】
0003643010.tif 000008
【図８】
0003643010.tif 000009
【図９】
0003643010.tif 000010